【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
データベースの増分バックアップを実行するための方法であって、
前記データベースのフルバックアップを実行する要求を伝達することと、
前記フルバックアップに関連する１つまたは複数のマップを検索することであって、前記１つまたは複数のマップが、前のバックアップ以来変更されたデータの識別を含むことと、
前記変更されたデータを検索することと、
前記変更されたデータを、増分バックアップファイルとして記憶装置に記憶することと、
前記前のバックアップ以来変更されていない前記フルバックアップのフルバックアップデータを廃棄することと、
を含む方法。
【請求項２】
前記増分バックアップファイルに関連する前記１つまたは複数のマップを記憶することをさらに含む、請求項１に記載の方法。
【請求項３】
前記１つまたは複数のマップが、前記前のバックアップ以来変更されたデータを示すビットマップを含む差分変更マップ（ＤＣＭ）を含み、前記変更されたデータは、当該変更されたデータを識別する前記ＤＣＭを用いて検索される、請求項２に記載の方法。
【請求項４】
前記フルバックアップを実行する前記要求に応じて、前記データベースのスナップショットを取ることを含み、前記スナップショットは、前記データベースのフルイメージのコピーを含み、前記データベースのスキーマは前記前のバックアップが実行されているときに前記データベースに問い合わせることによって自動的に生成される、請求項１に記載の方法。
【請求項５】
前記１つまたは複数のマップが、割り当てられたデータエクステントに関する情報を含むグローバル割り当てマップ（ＧＡＭ）と、少なくとも１つの未使用ページを有する混合エクステントに関する情報を含む共有グローバル割り当てマップ（ＳＧＡＭ）と、および／またはテーブルもしくはインデックスが用いるエクステントに関する情報を含むインデックス割り当てマップ（ＩＡＭ）と、を含み、前記変更されたデータを検索する前に、前記方法が、
前記１つまたは複数のマップを読み出して、前記変更されたエクステントが割り当てられるかどうかを決定することと、
前記変更されたエクステントを、それらが割り当てられる場合にのみ検索することと、を含む、請求項２に記載の方法。
【請求項６】
復元動作を実行するために前記増分バックアップファイルに対応する要求を検出することと、
前記増分バックアップファイルに関連するフルデータベースバックアップファイルを識別することと、
前記増分バックアップファイルおよび前記増分バックアップファイルに関連する前記フルデータベースバックアップファイルを用いて復元動作を実行することによって、復元データベースを生成することと、
前記復元データベースをデータベースサーバに通知することと、
をさらに含む、請求項２に記載の方法。
【請求項７】
前に記憶されたフルバックアップを識別することと、
前記フルバックアップに関連するマップを検索することと、
前記マップを用いて、前のバックアップ以来変更された特定のデータを識別することと、
前記前に記憶されたフルバックアップの圧縮バージョンの一部として前記特定のデータを記憶することと、
前記前のバックアップ以来変更されていない前記フルバックアップのフルバックアップデータを廃棄することと、
をさらに含む、請求項１に記載の方法。
【請求項８】
データベースの増分バックアップを実行するためのプログラム命令を含むコンピュータ可読記憶媒体であって、実行されるときに前記プログラム命令が、
前記データベースのフルバックアップを実行する要求を伝達するように、
前記フルバックアップに関連する１つまたは複数のマップを検索し、前記１つまたは複数のマップが、前のバックアップ以来変更されたデータの識別を含むように、
前記変更されたデータを検索するように、
前記変更されたデータを増分バックアップファイルとして記憶装置に記憶するように、
かつ前記前のバックアップ以来変更されていない前記フルバックアップのフルバックアップデータを廃棄するように、
動作可能であるコンピュータ可読記憶媒体。
【請求項９】
前記命令が、前記増分バックアップファイルに関連する前記１つまたは複数のマップを記憶するようにさらに動作可能である、請求項８に記載のコンピュータ可読記憶媒体。
【請求項１０】
前記１つまたは複数のマップが、前記前のバックアップ以来変更されたデータを示すビットマップを含む差分変更マップ（ＤＣＭ）を含み、前記変更されたデータは、当該変更されたデータを識別する前記ＤＣＭを用いて検索される、請求項９に記載のコンピュータ可読記憶媒体。
【請求項１１】
前記プログラム命令が、前記フルバックアップを実行する前記要求に応じて、前記データベースのスナップショットを取るようにさらに動作可能であり、前記スナップショットは、前記データベースのフルイメージのコピーを含み、前記データベースのスキーマは前記前のバックアップが実行されているときに前記データベースに問い合わせることによって自動的に生成される、請求項８に記載のコンピュータ可読記憶媒体。
【請求項１２】
前記１つまたは複数のマップが、割り当てられたデータエクステントに関する情報を含むグローバル割り当てマップ（ＧＡＭ）と、少なくとも１つの未使用ページを有する混合エクステントに関する情報を含む共有グローバル割り当てマップ（ＳＧＡＭ）と、および／またはテーブルもしくはインデックスが用いるエクステントに関する情報を含むインデックス割り当てマップ（ＩＡＭ）と、を含み、前記変更されたデータを検索する前に、前記命令が、
前記１つまたは複数のマップを読み出して、前記変更されたエクステントが割り当てられるかどうかを決定するように、
かつ前記変更されたエクステントを、それらが割り当てられる場合にのみ検索するように動作可能である、請求項９に記載のコンピュータ可読記憶媒体。
【請求項１３】
前記プログラム命令が、
復元動作を実行するために前記増分バックアップファイルに対応する要求を検出するように、
前記増分バックアップファイルに関連するフルデータベースバックアップファイルを識別するように、
前記増分バックアップファイルおよび前記増分バックアップファイルに関連する前記フルデータベースバックアップファイルを用いて復元動作を実行することによって、復元データベースを生成するように、
かつ前記復元データベースをデータベースサーバに通知するようにさらに動作可能である、請求項９に記載のコンピュータ可読記憶媒体。
【請求項１４】
前記プログラム命令が、
前に記憶されたフルバックアップを識別するように、
前記フルバックアップに関連するマップを検索するように
前記マップを用いて、前のバックアップ以来変更された特定のデータを識別するように、
前記前に記憶されたフルバックアップの圧縮バージョンの一部として前記特定のデータを記憶するように、
かつ前記前のバックアップ以来変更されていない前記フルバックアップのフルバックアップデータを廃棄するように、さらに動作可能である、請求項１３に記載のコンピュータ可読記憶媒体。
【請求項１５】
データベースの増分バックアップを実行するためのシステムであって、前記システムが、
データベースサーバと、
メディアサーバと、
データベースと、
１つまたは複数の記憶装置と、
を含み、
前記データベースサーバが、
前記データベースのフルバックアップを実行する要求の検出に応じて、フルバックアップを開始するように構成され、
前記メディアサーバが、
前記フルバックアップに関連する１つまたは複数のマップを検索し、前記１つまたは複数のマップが、前のバックアップ以来変更されたデータの識別を含むように、
前記変更されたデータを検索するように、
前記変更されたデータを、増分バックアップファイルとして記憶装置に記憶するように、
かつ前記前のバックアップ以来変更されていない前記フルバックアップのフルバックアップデータを廃棄するように構成されるシステム。
【請求項１６】
前記システムが、前記データベースのスナップショットを取るように構成され、前記スナップショットを廃棄する前に、前記メディアサーバが、前記増分バックアップファイルに関連する前記１つまたは複数のマップを記憶するようにさらに構成される、請求項１５に記載のシステム。
【請求項１７】
前記１つまたは複数のマップが、前記前のバックアップ以来変更されたデータを示すビットマップを含む差分変更マップ（ＤＣＭ）を含み、前記変更されたデータは、当該変更されたデータを識別する前記ＤＣＭを用いて検索される、請求項１６に記載のシステム。
【請求項１８】
前記システムが、前記フルバックアップを実行する前記要求に応じて、前記データベースのスナップショットを取るように構成され、前記スナップショットは、前記データベースのフルイメージのコピーを含み、前記データベースのスキーマは前記前のバックアップが実行されているときに前記データベースに問い合わせることによって自動的に生成される、請求項１５に記載のシステム。
【請求項１９】
前記１つまたは複数のマップが、割り当てられたデータエクステントに関する情報を含むグローバル割り当てマップ（ＧＡＭ）と、少なくとも１つの未使用ページを有する混合エクステントに関する情報を含む共有グローバル割り当てマップ（ＳＧＡＭ）と、および／またはテーブルもしくはインデックスが用いるエクステントに関する情報を含むインデックス割り当てマップ（ＩＡＭ）と、を含み、前記変更されたデータを検索する前に、前記システムが、
前記１つまたは複数のマップを読み出して、前記変更されたエクステントが割り当てられるかどうかを決定するように、
かつ前記変更されたエクステントを、それらが割り当てられる場合にのみ検索するように構成される、請求項１６に記載のシステム。
【請求項２０】
前記メディアサーバが、
復元動作を実行するために前記増分バックアップファイルに対応する要求を検出するように、
前記増分バックアップファイルに関連するフルデータベースバックアップファイルを識別するように、
前記増分バックアップファイルおよび前記増分バックアップファイルに関連する前記フルデータベースバックアップファイルを用いて復元動作を実行することによって、復元データベースを生成するように、
かつ前記復元データベースを前記データベースサーバに通知するようにさらに構成される、請求項１６に記載のシステム。
【手続補正２】
【補正対象書類名】明細書
【補正対象項目名】発明の名称
【補正方法】変更
【補正の内容】
【発明の名称】増分ＳＱＬサーバデータベースバックアップを実行する方法、コンピュータ可読記憶媒体およびシステム